(57)【要約】【課題】  本考案は、両手で柄を持ち、立ったままの体勢で振り払うことにより、無理のない動作で、柔らかくて丈の低い雑草から固くて丈の高い雑草まで刈ることのできる草刈り鎌を提供することにある。【解決手段】  両手で持つ長柄１の先端に屈曲柄２を設けて、この屈曲柄２に鎌刃３を取付けるようにした草刈り鎌であって、湾曲する３本の鉄製の平板からなる屈曲柄２を介して、長柄１を鎌刃３の面に対して３５度傾けて取付けると共に、長柄１の軸の延長線が刃の長手方向中央部の点３ａを通るようにした。また長柄１の後端に握り部８を鎌刃３の面に対し直交するように取り付けたことを特徴とする草刈り鎌である。【選択図】図１
0003103701.tif 000002
【実用新案登録請求の範囲】
【請求項１】
両手で持つ長柄（１）の先端に屈曲柄（２）を設けて、この屈曲柄（２）に鎌刃（３）を取付けるようにした草刈り鎌であって、湾曲する3本の鉄製の平板からなる屈曲柄（２）を介して、長柄（１）を鎌刃（３）の面に対して３５度傾けて取付けると共に、長柄（１）の軸の延長線が刃の長手方向中央部の点（３ａ）を通るようにした草刈鎌。
【請求項２】
前記長柄（１）の後端に握り部（８）を鎌刃（３）の面に対し直交するように取り付けた請求項１記載の草刈り鎌。
【考案の詳細な説明】
【技術分野】
【０００１】
本考案は、庭や路面、空き地に生える柔らかくて丈の低い雑草から固くて丈の高い雑草まで刈り取ることのできる草刈り鎌に関する。
【背景技術】
【０００２】
庭や路面に生える雑草を刈り取る草刈り鎌がいろいろと提案されている。例えば一般的な鎌は柄に対して刃がL字形に付いており、片手で手前に引き寄せるような動作で雑草を刈り取らなければならない。その他のものも片手で持つものは、中腰あるいは屈み腰の体勢で作業をしなければならないため、疲れる上に広範囲の雑草を刈るには時間がかかるという問題があった。また両手で持つものは刃の形や向きを変えて、立ち姿勢で払う・引く・押す等の動作で雑草を刈るようになっているが、固くて丈の高い雑草を刈るには、払うタイプのものは刃部と柄の間の付け根が衝撃に耐えられずに曲がる心配があり、刃に角度をつけたものは柄にねじれ方向の力がかかるので手に負担がかかり、引いたり押したりするものは動作の面で無理があるので、柔らかくて丈の低い雑草と固くて丈の高い雑草が混生している場所等を刈るのは困難であるという問題がある。
【０００３】
【特許文献１】実開昭５６−７５８３２
【特許文献２】実用登録３０２３５０６
【考案の開示】
【考案が解決しようとする課題】
【０００４】
本考案は、両手で柄を持ち、立ったままの体勢で振り払うことにより、無理のない動作で柔らかくて丈の低い雑草から固くて丈の高い雑草まで刈ることのできる草刈り鎌を提供することにある。
【課題を解決するための手段】
【０００５】
本考案は、両手で持つ長柄１の先端に屈曲柄２を設けて、この屈曲柄２に鎌刃３を取付けるようにした草刈り鎌であって、湾曲する３本の鉄製の平板からなる屈曲柄２を介して、長柄１を鎌刃３の面に対して３５度傾けて取付けると共に、長柄１の軸の延長線が刃の長手方向中央部の点３ａを通るようにした。また長柄１の後端に握り部８を鎌刃３の面に対し直交するように取り付けたことを特徴とする草刈り鎌である。
【考案の効果】
【０００６】
本考案の草刈り鎌は、長柄を鎌刃の面に対して３５度傾けて取付けることにより平面に近い状態に刈ることができる。また鎌刃と長柄との間に丈夫な屈曲柄を設けることにより刈るときの衝撃で曲がる心配もなく、長柄の軸の延長線が刃の長手方向中央部の点を通るようにすることにより衝撃を長柄の軸で受けて鎌刃と柄のねじれも解消されるので刈り易い。また両手で柄を持ち、立ったままの体勢で振り払うことにより無理のない動作で、柔らかくて丈の低い雑草から固くて丈の高い雑草まで刈ることができる上に、一振りで刈られる範囲も広くなり、短い時間で広い範囲を刈ることができるので効率的である。また鎌刃は蝶ネジで着脱できるようになっているので研磨や取替えが容易である。また長柄の握り部を鎌刃の面に直交するように設けたので手元で刃の面の角度を感じ取れ、手から外れることも無く、なぎ払い作業が容易であるなどの効果がある。
【考案を実施するための最良の形態】
【０００７】
本考案を実施するための最良の形態を図面に基づき以下説明する。本考案の草刈り鎌は図１に示すように、藪などを払う造林鎌のように長柄１を両手で持ち振り払って雑草を刈るものであって、長柄１の先端に設けられた屈曲柄２に鎌刃３を組付けるようにしたものである。
【実施例】
【０００８】
すなわち本考案の草刈り鎌は、長柄１の先端に三叉状の屈曲柄２の基端を差込み保持させ、この屈曲柄２に鎌刃３を交換自在に取付けたものである。屈曲柄２は、図２に示すように鉄製の平板から成り、長柄１の先端に差し込み保持される平板状の差込部２１と、この差込部２１から下方に３方に分岐し湾曲する三叉部２２と、三叉の先端に直交して一体的に設けられた鎌刃３の取付板２３とからなる。そして湾曲する三叉の中央の脚２２ａの端部を取付板２３の幅方向前方に、両側２２ｂ、２２ｃの端部を後方に溶接などで固着し、取付板２３がぐらつかないように安定的に保持するようにしてある。そして前記差込部２１を長柄１先端に差し込んで２本のネジ４にて締め付け固定する。
【０００９】
また鎌刃３は図３に示すように鎌刃３の基端に一体的に直交させて取付板３１を設け、この取付板３１と前記屈曲柄２の取付板２３とを接合させて鎌刃３を組付けるようにする。すなわち図４に示すように鎌刃３の付け根に刃の長手方向中央部の点３ａの接線に対して直交するように取付板３１を一体的に取り付け、取付板３１に立設した2本のネジロッド５を屈曲柄２の取付板２３のネジ穴６に通して蝶ネジ７で止める。このとき屈曲柄２は図４に示すように長柄１を刃中央部の点３ａの刃の接線に対して刃の内側寄りに７度、図５に示すように長柄１を鎌刃３の面に対して上方へ３５度傾けるとともに、長柄１の軸の延長線が刃の長手方向中央部の点３ａを通るように作られている。
【００１０】
また長柄１の後端に握り部８を鎌刃の面に対し直交するように設け、長柄１の長さは刃の長手方向中央部の点３ａから握り部８まで１２０ｃｍとなるようにしてある。
【００１１】
本考案の草刈り鎌を用いて雑草を刈るときは、握り部８を握り片手を長柄１に添えて振り払うようにする。標準的な身長の大人が平坦な面を刈るときの握り部８の地面からの高さは９０ｃｍ〜１００ｃｍとなり、このとき水平面に対する鎌刃３の面は凡そ１０度〜１５度の角度になるので、斜面に立ち作業をするときは3０度の傾斜まで上方あるいは下方に向かって刈ることができる。
【図面の簡単な説明】
【００１２】
【図１】本考案に係る草刈り鎌の斜視図である。
【図２】屈曲柄の斜視図である。
【図３】鎌刃の斜視図である。
【図４】図１の平面図である。
【図５】図１の正面図である。
【符号の説明】
【００１３】
１    長柄
２    屈曲柄
２１  差込部
２２  三叉部
２３  取付板
３    鎌刃
３１  取付板
４    ネジ
５    ネジロッド
６    ネジ穴
７    蝶ネジ
８    握り部
【図１】
0003103701.tif 000003
【図２】
0003103701.tif 000004
【図３】
0003103701.tif 000005
【図４】
0003103701.tif 000006
【図５】
0003103701.tif 000007